(57)【要約】【課題】ズボンの前後ともに独立して開放することができるとともに要介護者の症状等に合わせ、必要が生じた場合に、適宜、腰への係止紐を容易に装着し、かつ、尿道パイプ等の医療用チューブを大腿部へ固定し、さらに着衣に容易に固定させることをも課題とする。【解決手段】介護用ズボンであって、前身と後身の各々のウエスト部には、両端を開放した上下二段の筒状部を縫製し、当該筒状部へゴム紐を通して該ゴム紐両端を結合して輪状とし、開放されたウエスト部両端より当該輪状ゴム紐の一部を露出させ、かつ、当該露出させた輪状ゴム紐へ通す紐であって、ズボンの前身、後身を腰部に夫々独立して身体に係止させるための長短調節可能な紐を有し、該紐は１種類、若しくは複数種類の組み合わせによりなり、さらには、医療用チューブを通す管孔を該ズボンの内股部に設け、側腿部に医療用チューブを固定する固定具、若しくは当該チューブを誘導するテープを設けた。【選択図】　　　　図１
2004131917.tif 000002
【特許請求の範囲】
【請求項１】
身体の一部に巻いて使用するベルトであって、当該ベルトは、伸縮性を有する布を素材とするベルトであって、若しくは、面状テープにより長さ調節が可能なベルトであって、布、紙、ポリエステルその他の合成樹脂材の内、いずれか一、若しくはこれらを組み合わせたものを材料とし、該ベルト表面には医療用チューブを固定する固定具を設けてなることを特徴とする固定ベルト。
【請求項２】
前身と後身が、腰から踝に亘って、前よりの両脇線に沿ったスライドファスナーにより分離可能に結合した介護用ズボンであって、
前身と後身の各々のウエスト部には、両端を開放した上下二段の筒状部を縫製し、当該筒状部へゴム紐を通して該ゴム紐両端を結合して輪状とし、開放されたウエスト部両端より当該輪状ゴム紐の一部を露出させ、
かつ、
当該露出させた輪状ゴム紐へ通す紐であって、ズボンの前身、後身を腰部に夫々独立して身体に係止させるための長短調節可能な紐を有し、
該紐は、
一端を二股に造作した面状テープ、他端に輪を造作した紐、
あるいは一端に面状テープ、他端を二股に造作した紐、
あるいは両端若しくは一端に輪を造作した紐、
あるいは一端に輪を、他端を二股に造作した紐、
あるいはゴム紐、
あるいは輪状ゴムの
いずれか１種類、
若しくは複数種類の組み合わせによりなり、
さらには、医療用チューブを通す管孔を該ズボンの内股部に設け、
側腿部に医療用チューブを固定する固定具、若しくは当該チューブを誘導するテープを設けたことを特徴とする介護用ズボン。
【請求項３】
肩、首、衿まわりのいずれか一箇所以上に医療用チューブを固定する固定具を有し、若しくは、当該固定具を有する前明の上衣であって、左右前身頃を面状テープにて貼着することを特徴とする男女両用介護用上衣。
【請求項４】
固定具は、
医療用チューブを巻着する帯状巻着手段を有する固定具であって、
当該帯状巻着手段は、面状テープ若しくは凹凸嵌合手段を有し、
当該帯状巻着手段のうち、医療用チューブを巻着する巻着方が１本若しくは複数本であることを特徴とし、
前記凹凸嵌合手段による場合には、当該帯状巻着手段上の医療用チューブが接する領域にすべり止め手段を有したことを特徴とする請求項１記載の固定ベルト。
【請求項５】
固定具は、
医療用チューブを巻着する帯状巻着手段を有する固定具であって、
当該帯状巻着手段は、面状テープ若しくは凹凸嵌合手段を有し、
当該帯状巻着手段のうち、医療用チューブを巻着する巻着方が１本若しくは複数本であることを特徴とし、
前記凹凸嵌合手段による場合には、当該帯状巻着手段上の医療用チューブが接する領域にすべり止め手段を有したことを特徴とする請求項２記載の介護用ズボン。
【請求項６】
固定具は、
医療用チューブを巻着する帯状巻着手段を有する固定具であって、
当該帯状巻着手段は帯状の面状テープであり、当該テープを挿入可能とする留部材を肩、首、衿まわりのいずれか一箇所以上に設けてなることを特徴とする請求項３記載の男女両用介護用上衣。
【請求項７】
介護用上衣及び介護用ズボンからなる介護用の上下衣であって、介護用上衣は、肩まわりに医療用チューブを固定する固定具を有し、
介護用ズボンは、前身と後身が、腰から踝に亘って前よりの両脇線に沿ったスライドファスナーにより分離可能に結合し、
前身と後身の各々のウエスト部両端に輪を設け、
当該輪へ通す紐であって、ズボンの前後を腰部に夫々独立して身体に係止させるための長短調節可能な紐を有し、
さらには、尿道パイプをズボンの外側に定着させるべく股下の前身と後身の縫目に切れ目を設け、着脱自在に固定具を設けたことを特徴とする男女両用介護上下衣。
【請求項８】
紐は、
一端に面状テープ、他端を二股に造作した紐、
あるいは両端若しくは一端に輪を造作した紐、
あるいは一端に輪を、他端を二股に造作した紐、
あるいはゴム紐の
いずれかひとつ、
若しくはこれらの組み合わせによりなる
ことを特徴とする請求項７記載の男女両用介護上下衣。
【請求項９】
固定具は紐状に加工した面状テープであり、当該紐状部材が挿通可能な大きさの切れ目を介護用ズボンの股下部の前身と後身の縫目に沿って１箇所及び／又は当該切れ目に平行に１箇所設けた構造である請求項７記載の男女両用介護上下衣。
【発明の詳細な説明】
【技術分野】
【０００１】
　本発明は、要介護者が着衣して快適であり、また、介護人にとっても介護作業を容易に、かつ、効率的に行い得る男女両用介護上下衣、および医療用チューブの固定具に関するものである。
【背景技術】
【０００２】
　従来の介護用ズボンは、要介護者の排泄物処理作業等を容易に行うために、前身を大きく開放させるべく、腰から裾までスライドファスナーを設けたものが見られる（例えば、特許文献１参照。）。
　また、前身及び後身をそれぞれ腰に係止させるために、紐を縫い付けたものがある（例えば、特許文献２参照。）。
　さらに、医療用チューブ等を介護用の衣服に設けたファスナーの相対するスライダーにより挟持させ、ズレ防止を図ったものがある（例えば、特許文献３参照。）。
【０００３】
【特許文献１】実開平２−１４２４１４号（第１頁、第２図）
【特許文献２】特開２００１−２７９５０４号（０００５、第１図）
【特許文献３】特開２００１−２６２４１０号（００１２、第１図、第４図、第５図）
【発明の開示】
【発明が解決しようとする課題】
【０００４】
　しかしながら、特許文献１に開示された技術によれば、開放されるのは前身だけであるため、例えば、立位で背後からの汚物の処理を行う後身を開放して行う作業には適さない。
　また、特許文献２に開示された、ズボンの前後を夫々腰に係止させるための紐は予め縫製されているが、症状の軽い要介護者や患者等には不要であり、かつ、邪魔になることから、この紐を外すには切り取るしかない。そして介護の度合いが進み、この紐が必要となった場合に再び取り付けるしかない。したがって、このような縫製のやり直しを伴わず、介護の段階に合わせた使用が可能な介護服の開発が待ち望まれていた。
　さらに特許文献３に医療用チューブや尿道パイプの装着を意識した介護服が見られるが、これはファスナーのスライダーを利用して尿道パイプを単に上下から挟む構造のものであり、内股部にファスナーを有しない介護用ズボンの場合には適さない。
　以上のことを鑑みて、本発明は、ズボンの前後ともに独立して開放させることができるとともに、介護を要する程度に合わせ、必要が生じた場合に、適宜、腰への係止紐を容易に装着することができ、かつ、医療用チューブや尿道パイプなどを着衣に容易に固定させ得ることをも課題とする。
【課題を解決するための手段】
【０００５】
　前記の目的を解決するため、請求項１に記載の固定ベルトは、身体の一部に巻いて使用するベルトであって、当該ベルトは、伸縮性を有する布を素材とするベルトであって、若しくは、面状テープにより長さ調節が可能なベルトであって、布、紙、ポリエステルその他の合成樹脂材の内、いずれか一、若しくはこれらを組み合わせたものを材料とし、該ベルト表面には医療用チューブを固定する固定具を設けてなることを要旨とする。
【０００６】
　また、請求項２に記載の介護用ズボンは、前身と後身が、腰から踝に亘って、前よりの両脇線に沿ったスライドファスナーにより分離可能に結合した介護用ズボンであって、前身と後身の各々のウエスト部には、両端を開放した上下二段の筒状部を縫製し、当該筒状部へゴム紐を通して該ゴム紐両端を結合して輪状とし、開放されたウエスト部両端より当該輪状ゴム紐の一部を露出させ、かつ、当該露出させた輪状ゴム紐へ通す紐であって、ズボンの前身、後身を腰部に夫々独立して身体に係止させるための長短調節可能な紐を有し、該紐は、一端を二股に造作した面状テープ、他端に輪を造作した紐、あるいは一端に面状テープ、他端を二股に造作した紐、あるいは両端若しくは一端に輪を造作した紐、あるいは一端に輪を、他端を二股に造作した紐、あるいはゴム紐、あるいは輪状ゴムのいずれか１種類、若しくは複数種類の組み合わせによりなり、さらには、医療用チューブを通す管孔を該ズボンの内股部に設け、側腿部に医療用チューブを固定する固定具、若しくは当該チューブを誘導するテープを設けたことを要旨とする。
【０００７】
　また、請求項３に記載の男女両用介護用上衣は、肩、首、衿まわりのいずれか一箇所以上に医療用チューブを固定する固定具を有し、若しくは、当該固定具を有する前明の上衣であって、左右前身頃を面状テープにて貼着することを要旨とする。
【０００８】
　また、請求項４に記載の固定ベルトは、請求項１記載の構成において、固定具が、医療用チューブを巻着する帯状巻着手段を有する固定具であって、
当該帯状巻着手段は、面状テープ若しくは凹凸嵌合手段を有し、当該帯状巻着手段のうち、医療用チューブを巻着する巻着方が１本若しくは複数本であることを特徴とし、前記凹凸嵌合手段による場合には、当該帯状巻着手段上の医療用チューブが接する領域にすべり止め手段を有したことを要旨とする。
【０００９】
　また、請求項５に記載の介護用ズボンは、請求項２記載の構成において、固定具が、医療用チューブを巻着する帯状巻着手段を有する固定具であって、
当該帯状巻着手段は、面状テープ若しくは凹凸嵌合手段を有し、当該帯状巻着手段のうち、医療用チューブを巻着する巻着方が１本若しくは複数本であることを特徴とし、前記凹凸嵌合手段による場合には、当該帯状巻着手段上の医療用チューブが接する領域にすべり止め手段を有したことを要旨とする。
【００１０】
　また、請求項６に記載の男女両用介護用上衣は、請求項３記載の構成において、固定具が、医療用チューブを巻着する帯状巻着手段を有する固定具であって、当該帯状巻着手段は帯状の面状テープであり、当該テープを挿入可能とする留部材を肩、首、衿まわりのいずれか一箇所以上に設けてなることを特徴とする。
【００１１】
　また、請求項７に記載の男女両用介護上下衣は、介護用上衣及び介護用ズボンからなる介護用の上下衣であって、介護用上衣が、肩まわりに医療用チューブを固定する固定具を有し、介護用ズボンは、前身と後身が、腰から踝に亘って前よりの両脇線に沿ったスライドファスナーにより分離可能に結合し、前身と後身の各々のウエスト部両端に輪を設け、当該輪へ通す紐であって、ズボンの前後を腰部に夫々独立して身体に係止させるための長短調節可能な紐を有し、さらには、尿道パイプをズボンの外側に定着させるべく股下の前身と後身の縫目に切れ目を設け、着脱自在に固定具を設けたことを要旨とする。
【００１２】
　また、請求項８に記載の男女両用介護上下衣は、請求項７記載の構成において、紐が、一端に面状テープ、他端を二股に造作した紐、あるいは両端若しくは一端に輪を造作した紐、あるいは一端に輪を、他端を二股に造作した紐、あるいはゴム紐のいずれかひとつ、若しくはこれらの組み合わせによりなることを要旨とする。
【００１３】
　また、請求項９に記載の男女両用介護上下衣は、請求項７記載の構成において、固定具は紐状に加工した面状テープであり、当該紐状部材が挿通可能な大きさの切れ目を介護用ズボンの股下部の前身と後身の縫目に沿って１箇所及び／又は当該切れ目に平行に１箇所設けた構造であることを要旨とする。
【発明の効果】
【００１４】
　本発明の効果として、本発明の男女両用介護上下衣を構成する介護用ズボンによれば、ズボンの前後が独立して開放可能なことから介護人にとって介護作業が容易となる。しかも、被介護人の体型に合わせて容易に調節可能であり、また、ズボンの開放を、ズボンの前後夫々を独立させ、両脇のファスナーにより必要最低限に抑えることができることから、要介護者に羞恥心を抱かせることがなく精神的にも寄与するところは大きい。
【００１５】
　また、介護用ズボンの前後のウエスト部へ装着する数種類の紐は、要介護者の手先が不自由な場合であっても、その度合いに応じて任意の紐を使用することで、容易に取り付けることが可能であり、また、介護者にとっても同様、日々の介護作業負担を減らすことが可能となる。
【００１６】
　また、本発明の固定ベルトによれば、大腿部や腕など、身体の一部に装着することにより、医療用チューブを容易に固定することができる。そして、これまで絆創膏などで身体の一部に医療用チューブが留められ、皮膚がかぶれていた患者も、このような被害を被ることもない。
【００１７】
　また、本発明の固定具であって、帯状の面状テープを留める留布を上下衣の所定位置に当該面状テープを挿通可能に設け、当該帯状面状テープに医療用チューブを巻着させる固定具によれば、医療用チューブが必要になった場合にのみ帯状面状テープを取り付け、不要な場合は外しておくことができるため、邪魔にならず、快適さを保つことができる。
【発明を実施するための最良の形態】
【００１８】
　以下に、本発明の実施の形態を図面を参照しながら説明する。本発明の男女両用介護上下衣（１）は介護用上衣（２）と介護用ズボン（３）とからなり（図１）、介護用上衣の肩、首、衿まわりには、図４に示すように医療用チューブである点滴チューブ（ｔ）を固定する面状テープよりなる紐状部材（５ａ）が、そして介護用ズボンの股下には、図５（ａ）、図５（ｂ）に示すように医療用チューブである尿道パイプ（ｐ）を介護用ズボン（３）に固定するために、まず介護用ズボンの股下の適当な場所であって、前身と後身の縫目に切れ目を１箇所（１３ａ）設け、更に当該切れ目に平行に１箇所（１３ｂ）設ける。
【００１９】
　そして面状テープよりなる紐状部材（５ｂ）或いは略T字状紐状部材（５ｃ）を前記切れ目に通し、介護用ズボン（３）下で尿道チューブを巻着し、両端を合わせて固定する。尚、略T字状紐状部材（５ｃ）を使用する場合には切れ目は１箇所で足りることから、前記切れ目（１３ａ）（１３ｂ）のいずれか１箇所の切れ目で足りる。
【００２０】
　なお、介護用上衣（２）は図１に示すデザインに限られず、前明の場合、面状テープで留める上前には合成樹脂等でボタンの替わりになる装飾品を付けて病人らしくないように配慮する。また、上述したように肩まわりに医療用チューブを固定する紐状部材（５ａ）を有していれば他のデザインでも良い。また、当該上衣（２）の左右の合わせを面状テープによる、若しくはスナップ留めとすることで、着脱が容易となり、かつ、紐のように解ける心配がない。
【００２１】
　介護用ズボン（３）は前身と後身とが、腰から踝までに亘り、例えば５ｃｍ乃至６ｃｍ前よりの脇部に縫着されたスライドファスナー（４）によって結合している（図１）。尚、前よりにするのは５ｃｍ乃至６ｃｍに限らず、真横の他、扱い易い位置に設ければよい。
　尚、当該スライドファスナー（４）は踝近傍で明き止りとしており、介護用ズボン（３）の前後を完全に分離させるものではない。これは、本願のように踝近傍まで当該スライドファスナー（４）を開放すれば、膝を曲げ、裾の結合部分から足を引き抜きさえすれば容易に脱がせることが可能であることと、仮に裾までスライドファスナー（４）を設け、ズボンの前後を完全に分離させてしまう構成とすれば、ファスナー頭部の金具が肌に触れ、違和感を与えることとなることのほか、一旦分離したファスナーを、再度結合させる作業に時間がかかり、介護者の負担の一因となるからである。
　尚、ズボンの裾は図１に示すように、絞ったタイプでも、絞っていないタイプでもどちらでも構わない。
【００２２】
　ズボンの前後の腰の伸縮部は、図２（ａ）の（６ａ）、図３の（６ｂ）に示すように、ウエスト部に、両端を開放した上下二段の筒状部を縫製し、そこへ一本の細ゴム紐（９）を通し、該細ゴム紐の両端を結び、環状となす。このような構造とすることにより、前身及び後身夫々独立して左右方向に伸縮性が得られる。
【００２３】
　尚、前身、後身のウエスト伸縮部の両端を開放せず、両端に別途輪を縫合して、後述する係止紐と結合させても良い。
【００２４】
　ズボンの前身に紐（７）を装着する場合には、図２（ａ）に示すように、前身の伸縮部（６ａ）の開放された一端部より環状ゴム紐（９）を引き出し、その輪の中へ、紐（７）の一端で先端に面状テープを縫着した（図示せず）端（７ａ）を通し、面状テープ部（８）に留める。また伸縮部（６ａ）の開放された他端部より環状ゴム紐（９）を引き出して該紐（７）の他端（７ｂ）を通し、該紐（７）の中央部に本体より一部分離した先（７ｃ）と結紐する。
　また、図２（ｂ）に示すように、２種類の紐（１６）（１７）を夫々環状ゴム紐（９）へ通した後、両紐を結紐するようにしても良い。
【００２５】
　また、ズボンの後身に細ゴム紐（１１）を装着する場合には、後身の伸縮部（６ｂ）の開放された両端部より環状ゴム紐（９）を引き出し、細ゴム紐（１１）を通し、結紐する（図３）。
【００２６】
　尚、ズボンの後見の伸縮部（６ｂ）の両端にはボタン（１２）が付けられ、必要に応じて、ズボンの前身のボタンホール（１０）に掛ける。そして更なるバリエーションとしては、紐（７）の代わりに、両端に一つずつボタンをつけた紐をボタンホール（１０）へ取り付けることで介護用ズボンの前身を腰に固定したり、細ゴム紐（１１）の代わりに、両端にボタンホールを空けた紐をボタン（１２）に掛けて介護用ズボンの後身を腰に固定したりすることとしても良い。
　また、当該ボタン（１２）とボタンホール（１０）との組み合わせの代わりに、面状テープにてズボンの前身と後身とを結合させても良い。
【００２７】
　固定ベルトは、大腿部や、頭、足首、腕、手首など体の一部分に巻いて使用するベルトであって、当該ベルトは、綿、絹、不織布などの布や、一定期間継続使用可能な耐久性のある紙、また、合成樹脂等を材料としたものであって、使い捨てを前提とするもの、若しくは、繰り返し使用することを前提とするものである。また、当該ベルトは、尿道パイプや点滴用チューブなど医療用チューブを継続して装着せざるを得ない場合を想定して、材料により可能であれば、メッシュ構造とすることが好ましい。
　さらに、当該固定ベルトは伸縮性のある素材を用いることが好ましく、若しくは、当該ベルトの両端に面状テープを設け、太ももの太さに合わせて長さ調節できるようにすれば良い。
【００２８】
　また、介護用ズボンは、前述した特徴とは別に、医療用チューブを通す孔（１９）を該ズボンの内股部分に設け、かつ、太もも外側部分に医療用チューブ（ｐ）を安定させる固定具（２０）を設けており、例えば、前記固定ベルトを大腿部に装着し、当該介護用ズボンと合わせて使用する（図７）。
【００２９】
　また、例えば、図２（ｂ）に示すように２本の紐（１６）、（１７）を組み合わせて、両紐の端を結びズボンの前身を腰に固定することとすれば、身体の中央部分で紐の取り付け、取りはずし作業ができることから一層好ましい。
　かかる場合において、介護用ズボンの前身又は後身のウエスト部に夫々装着する紐は、一端を面状テープにより二股に造作し、他端に輪を造作した紐、あるいは一端に面状テープ、他端を二股に造作した紐、あるいは両端若しくは一端に輪を造作した紐、あるいは一端に輪を、他端を二股に造作した紐、あるいはゴム紐、あるいは輪状ゴムのいずれか１種類、若しくは複数種類の組み合わせによりなり、適宜連結して使用する。尚、紐の造作の種類は上記に限られない。
【００３０】
　前記固定ベルトに装着する医療用チューブの固定具は、前述の面状テープよりなる紐状部材（５ａ、５ｂ）、略T字状紐状部材（５ｃ）の他に、点滴用チューブや、尿道パイプなどを巻く側の部材を２本にして管の種類に応じた使用を可能とするもの（図８）がある。また、面状テープで巻着させるほかに、スナップボタンなどの嵌合手段によることとしてもよく、また、当該固定具を、凹凸嵌合手段とともに合成樹脂で一体成形することとしてもよい（図９）。また、ずれ防止手段として医療用チューブが接する部分に細かな凹凸やギザギザを設けることとしてもよい（図９）。
【００３１】
　介護用上衣に装着する医療用チューブの固定具は、帯状の面状テープが挿通可能な幅を確保しつつ、留布を介護用上衣の肩、首、衿まわり、その他いずれか所望の位置に設けておき、医療用チューブ使用時に、当該留布へ帯状の面状テープを挿入し、チューブ等を巻着するものである（図１０）。
　尚、当該固定具は、前述の介護用ズボンの太もも外側部分に医療用チューブを安定させる固定具（２０）として使用することとしてもよい。また、帯状面状テープの幅は広狭自在で、留布もそれに応じて挿通可能な幅を確保することとする。
【実施例１】
【００３２】
　本発明の男女両用介護上下衣について図１〜図３に基づいて説明する。本実施例は要介護者が本発明の男女両用介護上下衣のうち介護用ズボンを着衣し、前身、後身を夫々独立して腰に係止させ、都合の良い方を開放して介護作業に利用する場合に関するものであり、特に請求項７及び請求項８に対応するものである。
　図１は本発明の男女両用介護上下衣の全体を示す略図、図２（ａ）は前身の腰部への係止紐を取り付けた状態を示す図、図２（ｂ）は前身の腰部への係止紐のバリエーションを示す図、図３は後身の腰部への係止ゴム紐を取り付けた状態示す図である。
【００３３】
　図中、（１）は男女両用介護上下衣、（２）は介護用上衣、（３）は介護用ズボン、（４）はスライドファスナー、（５）は固定具、（６）は伸縮部、（７）は紐、（８）は面状テープ部、（９）は環状ゴム紐、（１０）はボタンホール、（１１）は細ゴム紐、（１２）はボタン、（１６）は両端に輪を造作した紐、（１７）は一端に輪を、他端を二股に造作した紐である。
【００３４】
　まず、要介護者が、介護用ズボン（３）をはく前に、腰まわりの伸縮部（６ａ）の開放端部から環状ゴム紐（９）を引き出し、その輪になったところへ紐（７）の一端（７ｂ）を通し、分離した端（７ｃ）と結紐しておく。なお、今ここでは、介護用ズボン（３）の腰から踝までに亘る両脇線よりやや前よりに沿って設けられたスライドファスナー（４）は閉じられたままである。
　要介護者は、通常のズボンのように介護用ズボン（３）をはいた後で、伸縮部（６ａ）の他端から環状ゴム紐（９）を引き出し、その輪になったところへ先端（７ａ）を通し面状テープ部（８）に圧着する。
【００３５】
　なお、上述した順序とは逆に、まず紐（７）の先端（７ａ）を環状ゴム紐（９）に通し、面状テープ部（８）に圧着しておき、はいた後に他端（７ｂ）を環状ゴム紐（９）に通し、分離した先端（７ｃ）と結紐することとしても良く、要介護者本人或いは介護者の便宜に資する順序で行えばよい。
【００３６】
　本実施例によれば、通常は、紐（７）を調節容易に適度な長さに保つことができることから着心地もよく。また、立位での背面からの汚物の処理を行う場合には、前よりの両脇線に沿ったスライドファスナー（４）を当該作業に適した位置まで降ろして、後身を開放すれば、介護者は効率良く作業でき、また、前身が腰に係止していることから要介護者の羞恥心も最小限に留めることができることから、要介護者及び介護者ともに大変好ましい。
【００３７】
　なお、同様に、後身を独立して腰に係止させる場合、つまり前から汚物処理を行う場合には、伸縮部（６ｂ）の開放端部より環状ゴム紐（９）を引き出し、その輪になったところへ細ゴム紐（１１）の一端を通しておき、通常のズボンのように介護用ズボン（３）をはく。その後、身体の前面で、細ゴム紐（１１）の一端と他端とを所望の長さに結んでおけばよい。
【００３８】
　このようにした場合にも、通常、細ゴム紐（１１）が調節容易に適度な長さに保つことができることから着心地もよく、はく人の体型に柔軟に対応できる。また、要介護者の前面からの介護作業が容易に行え、また、作業に必要なだけ前身を開放し、後見は腰に係止しているため、下半身の肌を全て露出することがなく、羞恥心を抱かせることも殆どない。
　尚、図２（ａ）に示す紐（７）と、図３に示す細ゴム紐（１１）をそれぞれ入れ替えて、前身に細ゴム紐（１１）を、後身に紐（７）を装着することとしても良い。
【００３９】
　また、図２（ｂ）に示すように、両端に輪を造作した紐（１６）、一端に輪を、他端を二股に造作した紐（１７）を、それぞれ伸縮部（６ａ）の両端から引き出した環状ゴム紐（９）の輪となったところへ通し、さらに各紐に造作した輪へ紐本体を通し、それぞれしっかりと締めることで、これらの紐と伸縮部（６ａ）との結合が確実となる。その後、紐（１６）、（１７）の開放された端同士を結ぶ。若しくは、紐（１７）の先端に面状テープを配し、紐（１６）の輪に通した後、貼着させても良い。なお、その他のバリエーションとして、紐（１６）は両端に輪を造作せず、一端を単なる紐状として紐（１７）と結合することとしても良い。また、紐（１７）も一端を二股造作せず、単なる紐状として紐（１６）と結合させても良い。
【００４０】
　本実施例によれば、介護初期の場合など、本人が一人で排便等の処理を行える間は余分な紐やゴム紐をつける必要がないことからはき心地もよく、一方、介護人が必要となったときに、別途紐を取り付けることで、容易に前身、後身を独立して腰に係止させることができるようになり、介護を要する症状の度合い等に柔軟に対応することができる。さらに、係止紐の長さ調整は、縫製のやり直しなど一切伴わずに至極簡単に行えることから、数多い身辺介護作業負担を軽減することができる。
【実施例２】
【００４１】
　本発明の第２の実施例を図１．図４、図５に基づいて説明する。本実施例は、男女両用介護上下衣に医療用チューブや尿道パイプを固定する固定具に関するものであり、請求項９に対応するものである。図４は介護用上衣の固定具を示す図、図５（ａ）は介護用ズボンの固定具及び構造を示す図、図５（ｂ）（ｃ）は介護用ズボンの固定具及び構造のバリエーションを示す図である。図中（５ａ）は医療用チューブを介護用上衣に固定する固定具、（５ｂ）は尿道パイプを介護用ズボンに固定する固定具、（５ｃ）は尿道パイプを介護用ズボンに固定する固定具のバリエーションを示す図、（１３ａ）は前後身の縫目に設けた切れ目、（１３ｂ）は１３ａに平行に設けた切れ目である。
【００４２】
　図１に示すように、介護用上衣の肩口に設けた固定具（５ａ）は面状テープを紐状にし、又は、同一面上で半分を凹面、半分を凸面に加工したものである。
　尚、本発明において、面状テープに係る凸面とは、細かなカギ状体を有する面、即ち引っ掛ける方の面を指し、凹面とは凸面に引っ掛けられる面を指す。
　当該固定具（５ａ）の中央部を介護用上衣肩まわりの任意の位置に縫着する（図１）。そこで医療用チューブ（ｔ）を挟持させ固定具（５ａ）の両端を圧着する。
　なお、面状テープは本実施例のように紐状に限定されず、円形、楕円形など医療用チューブを挟持できる形状、大きさであれば、その他の形状でもよい。また、固定具（５ａ）を面状テープにより成形するのでなく、布を用いて、先端に面状テープ、或いはスナップやベルベットファスナーなどで止めることとしても良い。
【００４３】
　図５（ａ）に示す固定具（５ｂ）は、面状テープを紐状に加工し、一端を折り返して縫製したものである。介護用ズボン（３）の股下任意の位置であって、前身と後身の縫目に設けた１箇所の切れ目（１３ａ）と、更に当該切れ目に平行に設けた切れ目（１３ｂ）に固定具（５ｂ）を挿入し、当該固定具（５ｂ）とズボン生地との間に尿道パイプ（ｐ）を通し、折り返し縫製により凹面となった一端と凸面である他端とを圧着する。このようにすれば、ズボン下では皮膚に当たる面が凹面となり当該テープが触れても不快感がない。
【００４４】
　また、図５（ｂ）に示す固定具（５ｃ）は、略Ｔ字状に面状テープを加工したものである。介護用ズボン（３）の股下任意の位置であって、ズボンの前後の縫目に、一箇所略Ｔ字状の固定具（５ｃ）が完全に抜け落ちない幅の切れ目（１３ａ）を入れ、当該固定具（５ｃ）をズボン（３）の下でループ状とし、そのループの中に尿道パイプ（ｐ）を通し、ズボン（３）の外側に固定具（５ｃ）の先端を折り返して圧着する（図５（ｂ））。このときもズボン下では皮膚に当たる面を凹面とすることで肌に触れても不快感がなく、また、図示するように一方の先端が他端を越えて折り返し圧着するため、面状テープを略Ｔ字状に加工するだけで済む。
【００４５】
　また、図５（ｃ）に示すように、介護用ズボン（３）の股下任意の位置であって、ズボンの前後の縫目に、一箇所切れ目（１３ａ）を入れ、さらに、当該切れ目（１３ａ）に平行に切れ目（１３ｂ）を入れる。そして、切れ目（１３ａ）に交差する方向に、短冊状面状テープを凹面が上方に向くように当該切れ目近傍に縫製し、もう一つの短冊状の面状テープの一端を切れ目（１３ａ）近傍に、凸面が上方に向くように縫製し、ズボン生地の下をくぐらせ切れ目（１３ｂ）から他端を出す。
　このような構成とすることで、ズボン生地と面状テープとの間に尿道パイプ（ｐ）を通し、両面状テープの縫製されていない端同士を圧着し、固定することができる。
【００４６】
　本実施例によれば、医療用チューブや尿道パイプを利用する患者や要介護者等は、これらを介護服の一定の場所に固定し得ることから、動作の度に気にする必要がない。
　また、上記固定具（５ｂ）（５ｃ）は、医療用チューブや尿道パイプを使用しない場合は外しておくことができ、必要な場合に迅速、かつ、容易に取り付けることができることから、介護者にとっても大変好ましい。
　尚、固定具（５ａ）は上衣の外に取り付けているため特段邪魔にならないが、固定具（５ｂ）、（５ｃ）のようにすれば、医療用チューブ不使用時には外しておくことができる。
【実施例３】
【００４７】
　本発明の第３の実施例は、請求項７に記載の男女両用介護上下衣のうち、介護用ズボンに関するものであって、ズボンの前後に別途係止紐を装着させることなく、ズボンの前後を夫々独立して腰に係止させ得る技術に関するものである。図６は本実施例を示す介護用ズボンの斜視図である。図中（１４）は開放窓、（１５）は結び目である。
【００４８】
　本実施例における介護用ズボン（３）は、図６に示すように、ウエスト回りに一本のゴム紐の両端を結紐して常態となし、ウエスト部のゴム紐通しには開放窓（１４）を内側に設けておく。このような構成とすることで、例えば、後身のみ腰に係止させておきたい場合には、開放窓（１４）によりゴム紐の結び目（１５）の位置を確認して、結び目を解き、前身のウエスト部のゴム紐通しからゴム紐を抜き、両端をお腹の前で再度結紐する。そして、作業に適した位置までスライドファスナー（４）を降ろせばよい。
【００４９】
　本実施例によれば、別途、紐を準備しなくとも必要に応じて、ズボンの前後を夫々独立して腰に係止させることができる。なお、開放窓（１４）を大きく設けたことで、再度、ゴム紐通しへゴム紐を通す作業は、紐通し針など特別の道具を用いることなく行える。
【実施例４】
【００５０】
　本発明の第４の実施例は、固定ベルトに関するものであり、請求項１に対応するものである。
　図７は介護用ズボンを示す図、図８は固定ベルトを示す図である。　図中、（３´）は介護用ズボン、（１８）は固定ベルト、（２０）は固定具である。
【００５１】
　本発明に係る固定ベルト（１８）は、布、紙、塩化ビニール、ポリエステルなどの合成樹脂等を材料とするが、肌に馴染むものであればこれらに限らない。尚、その材料により可能であれば、伸縮性のあるネット状のものが好ましい。また、当該ベルトは輪状であっても、両端を面状テープやスナップボタン等で繋ぐものであってもよい。また、繰り返し使用するタイプでも、使い捨てとするタイプのものでもよい。
【００５２】
　図８（ａ）に示すように、当該固定ベルト（１８）表面には、尿道パイプ（ｐ）を固定する固定具（２０）が設けられ、当該固定具（２０）は、面状テープ凸面部分をベルト（１８）上に固定し、尿道パイプ（ｐ）を巻着する面状テープ凹面部分が、前記面状テープ凸面部分に連続して固定されている。この場合、当該面状テープ凹凸面のベルト（１８）上への固定は、接着剤を利用したもののほか、縫合等によってもよい。
　面状テープ凹面部分は、通常凸面部分より柔らかいことから、尿道パイプ（ｐ）を巻くのは面状テープ凹面部が適しているが、これに限るものではない。また、図８（ｂ）に示すように、面状テープ凹面部分を、面状テープ凸面部分より長くしたり、細くしたりすることで、チューブ着脱の際の取り扱いが容易となる。
【００５３】
　また、面状テープ凹凸部分の各長さは、尿道パイプ（ｐ）やその他の医療用チューブ等の太さに合わせて造作すればよく、必要であれば、複数並列に設けることとしてもよい。尚、当該固定ベルト（１８）は、図７に示すように、尿道パイプ（ｐ）を装着する場合には大腿部に装着し、点滴等であれば、当該点滴チューブを固定させるために足首、腕や手首など任意の場所に装着すればよい。
　かかる固定ベルトにより、尿道パイプや点滴チューブは、身体にしっかりと固定されることとなり好ましい。
【実施例５】
【００５４】
　本発明の第５の実施例は、介護用ズボンに関するものであり、請求項２に対応するものである。
　図７は介護用ズボンを示す図であり、前述の固定ベルト（１８）を大腿部に装着し、当該介護用ズボン（３´）と組み合わせて使用したことを示すものである。尚、当該介護用ズボンのみ使用することとしてもよい。
　図中、（１９）は管孔を示し、その他の数字、記号は既述の通りである。
【００５５】
　本発明に係る介護用ズボン（３´）の内股部には医療用チューブである尿道パイプ（ｐ）を通す管孔（１９）を設け、かつ、側腿部に当該チューブを安定させる固定具（２０）を設けてなる。
【００５６】
　大腿部に固定ベルト（１８）を装着し、当該ベルト上の固定具（２０）により尿道パイプ（ｐ）を固定するとともに、管孔（１９）へ通し、かつ、当該ズボン（３´）の側腿部に設けた固定具（２０）により尿道パイプ（ｐ）を安定させて使用する。当該固定具（２０）は先の実施例４で示した固定具、また、後述の実施例６で示す固定具のほか、尿道パイプ（ｐ）を安定させる手段であれば、輪状の細いテープその他の構造等によるものでもよい。
【００５７】
　また、本発明に係る介護用ズボン（３´）は、前身と後身が、図１に示すように、腰から踝に亘って前よりの両脇線に沿ったスライドファスナー（３）（４）により分離可能に結合した介護用ズボンであり、図２（ａ）に示すように前身や後身の各ウエスト部は、両端を開放し、上下二段、夫々筒状に縫製され、当該筒状部へゴム紐を通して該ゴム紐両端を結合して輪状とし、開放されたウエスト部両端より当該輪状ゴム紐の一部（９）を露出させ、かつ、当該露出させた輪状ゴム紐部へ後述の各種紐を通して、ズボンの前後を独立して係止させるものである。
　その目的は、実施例１にて説明した通り、要介護者の姿勢に応じて、必要最小限の範囲でズボンを下ろしたり、必要な部分だけを開放したりすることにあり、介護を要する症状の度合いなどに柔軟に対応可能とすることにある。本実施例では、介護用ズボン（３´）に、以下各種の紐を組み合わせて使用する例を示す。
【００５８】
　当該介護用ズボン（３´）の前身、後身が独立したウエスト部に、下記種々の紐のうち、一種類、若しくは複数の種類を組み合わせて使用する（図２（ｂ））。
　当該紐は、一端を二股に造作した面状テープを配し、他端に輪を造作した紐のほか、一端に面状テープを、そして他端を二股に造作した紐を造作した紐、あるいは両端若しくは一端に輪を造作した紐、あるいは一端に輪を、そして他端を二股に造作した紐、あるいはゴム紐、あるいは輪状のゴム紐である。
　これらの紐を、要介護者あるいは介護者が扱い易い組み合わせで使用することにより、日々の作業が容易となり負担も少なくすることが可能となる。
【実施例６】
【００５９】
　本発明の第６の実施例は、前明の上衣の左右の身頃を貼着する面状テープを有する介護用上衣、また、固定具および固定具のバリエーションに関するものであり、請求項３乃至請求項６に対応するものである。
　図８（ｃ）（ｄ）、図９、図１０はそれぞれ固定具を示し、図１１は介護用上衣のバリエーションを示す。
　図中、（２´）は本実施例における介護用上衣、（２１）はすべり止め、（２２）は凸部、（２３）は凹部、（２４）は留布、（２５）は帯状面状テープ、（２６）は矩形状面状テープ（凸）、（２７）は矩形状面状テープ（凹）、（２８）は縫目であり、それ以外の数字、記号は既述の通りである。
【００６０】
　図８（ｃ）（ｄ）に示すように、当該固定具は、複数の医療用チューブ（ｓ）、（ｒ）を使用する場合を想定し、巻着する面状テープ凹面部分を複数本に造作したものである。このような構成とすることにより、複数の医療用チューブを個別に着脱することができるため、至極便利となる。尚、図示したように２本に限定するものではなく、それ以上であってもよい。
【００６１】
　また、図９に示す固定具は、塩化ビニール等の合成樹脂材により、凹凸嵌合手段（２２）（２３）とともに一体成形した固定具であって、尿道パイプ等の医療用チューブが接する部分にすべり止め手段（２１）を有する固定具である。当該凹凸嵌合手段は、凹部（２３）には切り込みが１箇所以上あり、凸部（２２）を挿入可能とする構造である。
　このすべり止め手段は、細かな凹凸やギザギザを表面に配したもの、若しくはゴム等の合成製樹脂等を点状、線状等に配したものであるが、一定のすべり止め効果を有するのであれば、他の造作によってもよい。尚、凹凸嵌合手段の数や、すべり止めの領域は、チューブの太さや固定具の大きさに応じたものとすればよい。
　また、図示しないが、前記塩化ビニール等の合成樹脂材の代わりに、布を当該固定具（２０）の素材とし、前記凹凸嵌合手段をスナップボタンとし、前記すべり止め手段（２１）とともに実現したものでも構わない。
　このような固定具によっても、前述の固定具と同様、医療用チューブをしっかりと固定し、取り扱いに便利であるという効果は変わらない。
【００６２】
　また、図１０に示す固定具は、図１に示す介護用上衣（２）若しくは図１１に示す（２´）の任意の位置に取り付ける固定具であって、点滴用チューブ（ｔ）を巻着する帯状面状テープ（２５）が挿通可能に留部材（２４）を上衣の肩、首、衿まわり等に設け、当該帯状面状テープ（２５）を上衣と当該留部材（２４）との間に、（図中矢印方向に）挿入してなる装着する固定具である。当該帯状面状テープは、凹面領域と凸面領域とが同一面上に連続してあるものが好適であるが、なければ、図１０に示すような構成としてよい。
　かかる固定具によれば、必要な時のみ帯状面状テープ（２５）を取り付けるだけで、当該チューブ（ｔ）を固定することができ、不要な場合には帯状面状テープ（２５）を外しておくことができるため、着用者は快適に過ごすことが可能となる。
【００６３】
　図１１に示す介護用上衣（２´）について説明する。
当該上衣（２´）は、ボタンの代わりに、矩形状の面状テープ（２６）（２７）が左右の合わせ部分に逢着してなる。尚、当該面状テープは矩形に拘わらず、円、楕円その他の形状として良いことは勿論であるまた、合わせの上側となる矩形面状テープ（２７）は、下側のテープ（２６）と同じ大きさでも良いが、少し小さくすることで、着脱が容易となる。
【産業上の利用可能性】
【００６４】
　本発明に係る男女両用介護上下衣によれば、要介護者等は快適な日常生活を過ごすことができるばかりでなく、介護者の側にとっても日々の介護作業負担を軽減することが可能となる。
　また、本発明に係る固定ベルトによれば、医療現場に従事する者の医療用チューブ等の着脱作業を確実、かつ、容易に行うことができることとなる。
【図面の簡単な説明】
【００６５】
【図１】本発明の男女両用介護上下衣の全体を示す略図
【図２】（ａ）　前身の腰部への係止紐を取り付けた状態を示す図　　　（ｂ）　前身の腰部への係止紐のバリエーションを示す図
【図３】後身の腰部への係止ゴム紐を取り付けた状態示す図
【図４】介護用上衣の固定具を示す図
【図５】（ａ）　介護用ズボンの固定具及び構造を示す図　　　（ｂ）　介護用ズボンの固定具及び構造のバリエーションを示す図　　　（ｃ）　介護用ズボンの固定具及び構造のバリエーションを示す図
【図６】第３の実施例を示す介護用ズボンの斜視図
【図７】介護用ズボンを示す図
【図８】固定具を示す図
【図９】固定具を示す図
【図１０】固定具を示す図
【図１１】介護用上衣のバリエーションを示す図
【符号の説明】
【００６６】
　　１　　　　男女両用介護上下衣　　
　　２、２´　介護用上衣
　　３、３´　介護用ズボン
　　４　　　　スライドファスナー
　　５　　　　固定具
　　６　　　　伸縮部
　　７　　　　紐
　　８　　　　面状テープ部
　　９　　　　環状ゴム紐
　１０　　　　ボタンホール
　１１　　　　細ゴム紐
　１２　　　　ボタン
　１３ａ　　　前後身の縫目に設けた切れ目
　１３ｂ　　　１３ａに平行に設けた切れ目
　１４　　　　開放窓
　１５　　　　結び目
　１６　　　　両端に輪を造作した紐
　１７　　　　一端に輪を、他端を二股に造作した紐
　１８　　　　固定ベルト
　１９　　　　管孔
　２０　　　　固定具
　２１　　　　すべり止め
　２２　　　　凸部
　２３　　　　凹部
　２４　　　　留部材
　２５　　　　帯状面状テープ
　２６　　　　矩形状面状テープ
　２７　　　　矩形状面状テープ
　２８　　　　縫目
【図１】
2004131917.tif 000003
【図２】
2004131917.tif 000004
【図３】
2004131917.tif 000005
【図４】
2004131917.tif 000006
【図５】
2004131917.tif 000007
【図６】
2004131917.tif 000008
【図７】
2004131917.tif 000009
【図８】
2004131917.tif 000010
【図９】
2004131917.tif 000011
【図１０】
2004131917.tif 000012
【図１１】
2004131917.tif 000013